【手続補正書】
【提出日】平成23年9月27日(2011.9.27)
【手続補正１】
【補正対象書類名】特許請求の範囲
【補正対象項目名】全文
【補正方法】変更
【補正の内容】
【特許請求の範囲】
【請求項１】
一又は複数のグループに分けられたデータについて、前記グループを指定してデータリストの作成処理が要求された場合に、前記指定されたグループのデータに関するデータリストを作成するリスト作成部と、
第１の信号線を通じてＰＴＰ（Ｐｉｃｔｕｒｅ  Ｔｒａｎｓｆｅｒ  Ｐｒｏｔｏｃｏｌ）に基づく前記データリストの送信要求が取得された場合に、前記第１の信号線を通じて前記リスト作成部により作成されたデータリストを送信するリスト送信部と、
を有する第１の処理部と；
前記第１の信号線とは異なる第２の信号線を通じ、前記第１の処理部に対して前記グループを指定してデータリストの作成処理を要求するリスト作成要求部と、
前記データリストの送信要求を前記第１の処理部に送信するリスト送信要求部と、
を有する第２の処理部と；
を備える、
情報処理装置。
【請求項２】
前記リスト作成部は、前記データリストの作成処理が完了した後で、当該データリストの作成処理が完了したことを前記第２の信号線を介して前記第２の処理部に通知し、
前記リスト送信要求部は、前記リスト作成部から前記データリストの作成処理が完了したことを通知された後で前記データリストの送信要求を送信する、
請求項１に記載の情報処理装置。
【請求項３】
前記リスト作成部は、前記グループが階層構造を有する場合に、前記指定されたグループの下位グループに関する情報を含むデータリストを生成し、
前記第２の処理部は、
前記第１の処理部から取得したデータリストに基づいて前記下位グループの数を検出する下位グループ数検出部と、
前記下位グループを選択するためのグループオブジェクトを前記下位グループ数検出部により検出されたグループの数だけ画面に表示させるグループオブジェクト表示部と、
をさらに有する、
請求項２に記載の情報処理装置。
【請求項４】
前記第２の処理部は、
前記第１の処理部から取得したデータリストに基づいて前記指定されたグループに属するデータの数を検出するデータ数検出部と、
前記データを選択するためのデータオブジェクトを前記データ数検出部により検出されたデータの数だけ画面に表示させるデータオブジェクト表示部と、
をさらに有する、
請求項２に記載の情報処理装置。
【請求項５】
前記第１の処理部は、前記第１の信号線を通じて前記データオブジェクトを送信するデータオブジェクト送信部をさらに有し、
前記第２の処理部は、前記第１の信号線を通じて前記第１の処理部から前記データオブジェクトを取得するデータオブジェクト取得部をさらに有し、
前記データオブジェクト取得部は、前記データ数検出部により検出されたデータの数が前記画面に表示可能なデータオブジェクトの数を上回った場合に、当該画面に表示可能なデータオブジェクトの数だけ前記データオブジェクトを取得し、
前記データオブジェクト表示部は、前記データオブジェクト取得部により取得されたデータオブジェクトを前記画面に表示させる、
請求項４に記載の情報処理装置。
【請求項６】
前記データオブジェクト取得部は、前記データ数検出部により検出されたデータの数が前記画面に表示可能なデータオブジェクトの数を下回った場合に、前記指定されたグループとは異なるグループのデータに対応するデータオブジェクトを取得し、
前記データオブジェクト表示部は、前記指定されたグループに対応するデータオブジェクトに加え、前記異なるグループに対応するデータオブジェクトを前記画面に表示させる、
請求項５に記載の情報処理装置。
【請求項７】
前記グループは、前記データが格納されるフォルダとは無関係にユーザによる任意の設定操作に応じて前記データの対応付けがされた仮想的なフォルダである、
請求項１に記載の情報処理装置。
【請求項８】
一又は複数のグループに分けられたデータについて、第１の処理部により、第１の信号線を通じて、第２の処理部に対して前記グループを指定したデータリストの作成処理が要求されるリスト作成要求ステップと、
前記第２の処理部により、前記指定されたグループのデータに関するデータリストが作成されるリスト作成ステップと、
前記第１の処理部により、第２の信号線を通じてＰＴＰ（Ｐｉｃｔｕｒｅ  Ｔｒａｎｓｆｅｒ  Ｐｒｏｔｏｃｏｌ）に基づく前記データリストの送信要求が前記第２の処理部に送信されるリスト送信要求ステップと、
前記第２の処理部により、前記第２の信号線を通じて前記リスト作成ステップで作成されたデータリストが前記第１の処理部に送信されるリスト送信ステップと、
を含む、
データ伝送方法。
【手続補正２】
【補正対象書類名】明細書
【補正対象項目名】発明の名称
【補正方法】変更
【補正の内容】
【発明の名称】情報処理装置、及びデータ伝送方法
【手続補正３】
【補正対象書類名】明細書
【補正対象項目名】０００１
【補正方法】変更
【補正の内容】
【０００１】
本発明は、情報処理装置、及びデータ伝送方法に関する。
【手続補正４】
【補正対象書類名】明細書
【補正対象項目名】０００８
【補正方法】変更
【補正の内容】
【０００８】
上記課題を解決するために、本発明のある観点によれば、一又は複数のグループに分けられたデータについて、前記グループを指定してデータリストの作成処理が要求された場合に、前記指定されたグループのデータに関するデータリストを作成するリスト作成部と、第１の信号線を通じてＰＴＰ（Ｐｉｃｔｕｒｅ  Ｔｒａｎｓｆｅｒ  Ｐｒｏｔｏｃｏｌ）に基づく前記データリストの送信要求が取得された場合に、前記第１の信号線を通じて前記リスト作成部により作成されたデータリストを送信するリスト送信部と、を有する第１の処理部と、前記第１の信号線とは異なる第２の信号線を通じ、前記第１の処理部に対して前記グループを指定してデータリストの作成処理を要求するリスト作成要求部と、前記データリストの送信要求を前記第１の処理部に送信するリスト送信要求部と、を有する第２の処理部と、を備える、撮像装置が提供される。
【手続補正５】
【補正対象書類名】明細書
【補正対象項目名】００１５
【補正方法】変更
【補正の内容】
【００１５】
また、上記課題を解決するために、本発明の別の観点によれば、一又は複数のグループに分けられたデータについて、第１の処理部により、第１の信号線を通じて、第２の処理部に対して前記グループを指定したデータリストの作成処理が要求されるリスト作成要求ステップと、前記第２の処理部により、前記指定されたグループのデータに関するデータリストが作成されるリスト作成ステップと、前記第１の処理部により、第２の信号線を通じてＰＴＰ（Ｐｉｃｔｕｒｅ  Ｔｒａｎｓｆｅｒ  Ｐｒｏｔｏｃｏｌ）に基づく前記データリストの送信要求が前記第２の処理部に送信されるリスト送信要求ステップと、前記第２の処理部により、前記第２の信号線を通じて前記リスト作成ステップで作成されたデータリストが前記第１の処理部に送信されるリスト送信ステップと、を含む、データ伝送方法が提供される。
【手続補正６】
【補正対象書類名】明細書
【補正対象項目名】００１６
【補正方法】変更
【補正の内容】
【００１６】
また、上記課題を解決するために、本発明の別の観点によれば、上記の情報処理装置が有する各構成要素の機能をコンピュータに実現させるためのプログラムが提供されうる。さらに、当該プログラムが記録された記録媒体が提供されうる。また、上記課題を解決するために、本発明の別の観点によれば、上記情報処理装置が有する各構成要素の機能を搭載した画像処理装置が提供されうる。